(57)【要約】【課題】冷蔵庫の動作を設定するための複数の操作ボタンを備える冷蔵庫であって、コンパクトな配置構成であり、かつ、使用者にとって利便性の高い複数の操作ボタンを備える冷蔵庫を提供する。【解決手段】前面に開口部を有し、物を貯蔵する冷蔵室５３と、冷蔵室５３の開口部の少なくとも一部を開閉可能に塞ぐ右扉６０ｂとを備える冷蔵庫５１であって、右扉６０ｂの前面に穿設される縦長開口８０ａに縦方向に連なって配置され、冷蔵庫５１の動作を設定するための４つの矩形の操作ボタン１１と４つ矩形の操作ボタン１１のうちの最上部または最下部の操作ボタン１１に隣接して配置され、冷蔵庫の動作に関する情報を表示する表示部３０とを備えることにより、各操作ボタンの前面の面積を十分に確保しつつ、配置構成はコンパクトなものとなり、使用者にとって非常に使い易い操作ボタンであり、かつ、操作ユニットのコンパクト化が可能である。【選択図】図１
2010014400.tif 000002
【特許請求の範囲】
【請求項１】
前面に開口部を有し、物を貯蔵する貯蔵室と、前記貯蔵室の前記開口部の少なくとも一部を開閉可能に塞ぐ扉と、前記扉の前面に穿設されるひとつの縦長開口内に縦方向に仕切りを設けることなく連なって配置され、前記冷蔵庫の動作を設定するための少なくとも２つ以上の矩形の操作ボタンと、前記少なくとも２つ以上の矩形の操作ボタンのうちの最上部または最下部の操作ボタンに隣接して配置され、前記冷蔵庫の動作に関する情報を表示する表示部と、を備え、さらに、前記操作ボタンの後部に配置される一対の第一係合部材であって、それぞれが第一係合面を有し、２つの前記第一係合面の間の距離が後方に向かって広がっている一対の第一係合部材と、前記一対の第一係合部材と対向する位置に配置される一対の第二係合部材であって、それぞれが第二係合面を有し、２つの前記第二係合面の間の距離が前方に向かって狭まっている一対の第二係合部材と、前記操作ボタンの左右に前記操作ボタンと所定の間隔をあけて配置され、前方に突出した側壁とを備え、前記一対の第二係合部材は、前記操作ボタンの上方向の位置を規制し、前記操作ボタンが押下された場合、２つの前記第一係合面と２つの前記第二係合面とが接することにより、前記操作ボタンの左右方向の位置は、前記操作ボタンの左右に配置される側壁間の略中央に規制される冷蔵庫。
【請求項２】
前面に開口部を有し、物を貯蔵する貯蔵室と、前記貯蔵室の前記開口部の少なくとも一部を開閉可能に塞ぐ扉と、前記扉の前面に穿設されるひとつの縦長開口内に縦方向に仕切りを設けることなく連なって配置され、前記冷蔵庫の動作を設定するための少なくとも２つ以上の矩形の操作ボタンと、前記少なくとも２つ以上の矩形の操作ボタンのうちの最上部または最下部の操作ボタンに隣接して配置され、前記冷蔵庫の動作に関する情報を表示する表示部と、を備え、さらに、前記操作ボタンの左右端それぞれから突出状に設けられ、前記操作ボタンから遠いほど後方に後退している傾斜面部を有するガイド部材と、前記操作ボタンの左右に前記操作ボタンと所定の間隔をあけて配置され、前方へ突出した側壁と、前記操作ボタンを前方に付勢する付勢手段とを備え、左右の前記側壁のそれぞれは、前記ガイド部材を前後方向に移動可能に保持するとともに前記操作ボタンの上下方向の位置を規制するガイド溝を有し、さらに前記ガイド溝の前方向の終端となる溝終端部を有していることにより、前記操作ボタンの前後方向の初期位置より前方への移動を制限し、前記操作ボタンが、押下された状態から解放され、前記付勢手段の付勢力により前記初期位置に戻る場合、左右それぞれの前記ガイド部材の傾斜面部のいずれか一方が、対応する前記側壁の溝終端部と摺動することにより、前記操作ボタンの左右位置は、左右それぞれの前記側壁間の略中央に規制される冷蔵庫。
【請求項３】
前記扉は、前記冷蔵庫の高さ方向に平行な直線を回動軸として回動する扉であり、前記冷蔵庫はさらに、前記扉の前記回動軸とは反対側の端辺に沿って配置される扉化粧板を備え、前記縦長開口は、前記化粧板に設けられている請求項１または２に記載の冷蔵庫。
【請求項４】
前記操作ボタンは、前記操作ボタンの前面を形成する前面部材と、前記前面部材を着脱可能に保持する保持体とを有する請求項１から３のいずれか一項に記載の冷蔵庫。
【発明の詳細な説明】
【技術分野】
【０００１】
本発明は、冷蔵庫に関し、特に冷蔵庫の動作を設定するための複数の操作ボタンを備える冷蔵庫に関する。
【背景技術】
【０００２】
従来、庫内温度、冷却速度、および冷却モード等を使用者が設定することが可能な冷蔵庫が存在する。つまり、使用者が冷蔵庫の動作を設定可能な冷蔵庫が存在する。
【０００３】
このような冷蔵庫では、庫内温度等を冷蔵庫に設定するための複数の操作ボタンが設けられる。また、これら複数の操作ボタンは、使用者の操作の容易さ等の理由により、例えば、冷蔵庫の扉の前面に配置される。
【０００４】
このような、冷蔵庫の複数の操作ボタンに関する技術も開示されている（例えば、特許文献１参照）。
【０００５】
図１０は、従来の冷蔵庫における制御基板ユニット１１９の外観を示す図である。
【０００６】
図１０に示す制御基板ユニット１１９は、制御基板１１８と、庫内温度等を冷蔵庫に設定するための３つの操作ボタンを有するボタン部品１１３とを備えている。
【０００７】
また、制御基板ユニット１１９は、扉の前面に配置される扉化粧板１１２に取り付けられることにより冷蔵庫に備えられる。
【０００８】
具体的には、制御基板ユニット１１９は、扉化粧板１１２に縦方向に並んで設けられた３つの開口１１２ａのそれぞれに、ボタン部品１１３の３つのボタンのそれぞれが挿入されるように、扉化粧板１１２の裏面に取り付けられる。
【０００９】
これにより、これら３つのボタンは、扉前面に露出し、使用者はこれら３つのボタンを押下することができる。
【先行技術文献】
【特許文献】
【００１０】
【特許文献１】特開２００７−４０６６０号公報
【発明の概要】
【発明が解決しようとする課題】
【００１１】
冷蔵庫の複数の操作ボタンは、上記従来の冷蔵庫のように、冷蔵庫の動作制御のための電子回路基板とともに冷蔵庫に備えられている。つまり、複数の操作ボタンは、電子回路基板等を含む操作ユニットの一部として冷蔵庫に備えられていることが一般的である。
【００１２】
また、冷蔵庫では、一般に庫内と外気との温度差が大きいため、庫内と外気とが接触する開口部周辺などに結露が発生しやすいという問題がある。
【００１３】
そのため、操作ユニットを防滴または防水仕様にすることはもとより、原則として操作ユニットをコンパクト化することが結露による湿気からの保護の観点から有利である。
【００１４】
しかしながら、操作ユニットは冷蔵庫の使用者が庫内温度の設定等を行うためのもので
あるため、操作ボタンは押し易い大きさおよび形状であることが望まれる。
【００１５】
さらに、設定温度等を使用者に認識させるための表示部も必要であり、使用者による操作時の視認性、および電装部品の配置効率等を考慮すると、表示部と操作ボタンとは操作ユニットとして一体に冷蔵庫に備えられることが求められる。
【００１６】
しかし、上述のように、操作ユニットはコンパクトなものであることも同時に求められる。そのため、単純に操作ボタンを大型化し、さらに表示部を備えるだけではこの要求に応えることはできない。
【００１７】
ここで、上記従来の制御基板ユニット１１９では、３つの操作ボタンはそれぞれ横長形状であり、島状に離れて配置されている。そのため使用者の押し易さという観点からは、有利な大きさ、形状、および配置位置であるとは言い難い。
【００１８】
そこで、制御基板ユニット１１９において例えば各操作ボタンの縦方向の長さを伸ばすことにより各操作ボタンの前面の面積が増加し、押し易さは改善される。しかしこの場合、制御基板ユニット１１９自体の縦方向の長さも長くなる。つまり、制御基板ユニット１１９が大型化し、生産コストおよび結露による湿気からの保護等の観点からは不利である。
【００１９】
さらに、３つの操作ボタンの上または下に表示部を配置した場合、表示部と、表示部から最も離れた操作ボタンとの距離も伸びるため、当該操作ボタンを押す際に、当該操作ボタンと表示部とを同一視野で捉えることが難しくなるという問題もある。
【００２０】
本発明は、上記従来の課題を解決するもので、冷蔵庫の動作を設定するための複数の操作ボタンを備える冷蔵庫であって、コンパクトな配置構成であり、かつ、使用者にとって利便性の高い複数の操作ボタンを備える冷蔵庫を提供することを目的とする。
【課題を解決するための手段】
【００２１】
上記従来の課題を解決するために、本発明の冷蔵庫は、前面に開口部を有し、物を貯蔵する貯蔵室と、前記貯蔵室の前記開口部の少なくとも一部を開閉可能に塞ぐ扉と、を備える冷蔵庫であって、前記扉の前面に穿設される縦長開口に縦方向に連なって配置され、前記冷蔵庫の動作を設定するための少なくとも２つ以上の矩形の操作ボタンと、前記少なくとも２つ以上の矩形の操作ボタンのうちの最上部または最下部の操作ボタンに隣接して配置され、前記冷蔵庫の動作に関する情報を表示する表示部と、を備える。
【００２２】
これにより、各操作ボタンの前面の面積を十分に確保しつつ、配置構成はコンパクトなものとなる。つまり、使用者にとって非常に使い易い操作ボタンであり、かつ、これら操作ボタンを含む操作ユニットのコンパクト化が可能である。操作ユニットのコンパクト化は、生産コストおよび結露による湿気から保護等の観点から有利である。
【００２３】
また、これにより、表示部を含む操作ユニットのコンパクト化は実現され、かつ、使用者が操作ボタンと表示部とを同一の視野で捉えることが容易なものとなる。
【発明の効果】
【００２４】
本発明は、冷蔵庫の動作を設定するための複数の操作ボタンを備える冷蔵庫であって、コンパクトな配置構成であり、かつ、使用者にとって利便性の高い複数の操作ボタンを備える冷蔵庫を提供することができる。
【図面の簡単な説明】
【００２５】
【図１】本発明の実施の形態１における冷蔵庫の正面図
【図２】本発明の実施の形態１における操作ユニットの構成概要を示す分解斜視図
【図３】本発明の実施の形態１における操作ユニットの断面構成の概要を示す拡大図
【図４】本発明の実施の形態１における保持体の正面概要図
【図５】本発明の実施の形態１における第一係合部材および第二係合部材の形状および位置関係を示す断面概要図
【図６】（Ａ）本発明の実施の形態１における第一係合部材と第二係合部材との係合状態を示す断面概要図（Ｂ）本発明の実施の形態１における第一係合部材と第二係合部材との係合状態を示す拡大斜視図
【図７】（Ａ）本発明の実施の形態１におけるガイド部材と側壁との位置関係を示す正面透視図（Ｂ）本発明の実施の形態１におけるガイド溝の概要を示す側面図（Ｃ）本発明の実施の形態１における操作ボタンが初期位置に戻った状態を示す断面概要図
【図８】本発明の実施の形態１における操作ボタンが傾くように押下された場合の一例を示す断面概要図
【図９】本発明の実施の形態１における付勢体の構成を示す正面概要図
【図１０】従来の冷蔵庫における制御基板ユニットの外観を示す図
【発明を実施するための形態】
【００２６】
請求項１に記載の発明は、前面に開口部を有し、物を貯蔵する貯蔵室と、前記貯蔵室の前記開口部の少なくとも一部を開閉可能に塞ぐ扉と、前記扉の前面に穿設されるひとつの縦長開口内に縦方向に仕切りを設けることなく連なって配置され、前記冷蔵庫の動作を設定するための少なくとも２つ以上の矩形の操作ボタンと、前記少なくとも２つ以上の矩形の操作ボタンのうちの最上部または最下部の操作ボタンに隣接して配置され、前記冷蔵庫の動作に関する情報を表示する表示部と、を備え、さらに、前記操作ボタンの後部に配置される一対の第一係合部材であって、それぞれが第一係合面を有し、２つの前記第一係合面の間の距離が後方に向かって広がっている一対の第一係合部材と、前記一対の第一係合部材と対向する位置に配置される一対の第二係合部材であって、それぞれが第二係合面を有し、２つの前記第二係合面の間の距離が前方に向かって狭まっている一対の第二係合部材と、前記操作ボタンの左右に前記操作ボタンと所定の間隔をあけて配置され、前方に突出した側壁とを備え、前記一対の第二係合部材は、前記操作ボタンの上方向の位置を規制し、前記操作ボタンが押下された場合、２つの前記第一係合面と２つの前記第二係合面とが接することにより、前記操作ボタンの左右方向の位置は、前記操作ボタンの左右に配置される側壁間の略中央に規制されたことにより、各操作ボタンの前面の面積を十分に確保しつつ、配置構成はコンパクトなものとなる。つまり、使用者にとって非常に使い易い操作ボタンであり、かつ、これら操作ボタンを含む操作ユニットのコンパクト化が可能である。操作ユニットのコンパクト化は、生産コストおよび結露による湿気から保護等の観点から有利である。また、表示部を含む操作ユニットのコンパクト化は実現され、かつ、使用者が操作ボタンと表示部とを同一の視野で捉えることが容易なものとなる。
また、操作ボタンが押下された場合の左右位置が正規の位置に規制される。このように規制することで、その後に押下された状態から解放され、操作ボタンが初期位置に戻る場合、操作ボタンは正規の位置から前方に向かって移動する。そのため、操作ボタンの左右の側壁に引っ掛かる可能性が極めて少なくなる。また、第二係合部材は、このような操作ボタンの左右方向の位置規制と、操作ボタンの上方向の位置規制とに用いられるため、上記の構成は効率的な構成である。
【００２７】
請求項２に記載の発明は、前面に開口部を有し、物を貯蔵する貯蔵室と、前記貯蔵室の前記開口部の少なくとも一部を開閉可能に塞ぐ扉と、前記扉の前面に穿設されるひとつの縦長開口内に縦方向に仕切りを設けることなく連なって配置され、前記冷蔵庫の動作を設定するための少なくとも２つ以上の矩形の操作ボタンと、前記少なくとも２つ以上の矩形の操作ボタンのうちの最上部または最下部の操作ボタンに隣接して配置され、前記冷蔵庫
の動作に関する情報を表示する表示部と、を備え、さらに、前記操作ボタンの左右端それぞれから突出状に設けられ、前記操作ボタンから遠いほど後方に後退している傾斜面部を有するガイド部材と、前記操作ボタンの左右に前記操作ボタンと所定の間隔をあけて配置され、前方へ突出した側壁と、前記操作ボタンを前方に付勢する付勢手段とを備え、左右の前記側壁のそれぞれは、前記ガイド部材を前後方向に移動可能に保持するとともに前記操作ボタンの上下方向の位置を規制するガイド溝を有し、さらに前記ガイド溝の前方向の終端となる溝終端部を有していることにより、前記操作ボタンの左右方向の位置は、前記操作ボタンの左右に配置される側壁間の略中央に規制されたことにより、各操作ボタンの前面の面積を十分に確保しつつ、配置構成はコンパクトなものとなる。つまり、使用者にとって非常に使い易い操作ボタンであり、かつ、これら操作ボタンを含む操作ユニットのコンパクト化が可能である。操作ユニットのコンパクト化は、生産コストおよび結露による湿気から保護等の観点から有利である。また、表示部を含む操作ユニットのコンパクト化は実現され、かつ、使用者が操作ボタンと表示部とを同一の視野で捉えることが容易なものとなる。
また、前記操作ボタンの前後方向の初期位置より前方への移動を制限し、前記操作ボタンが、押下された状態から解放され、前記付勢手段の付勢力により前記初期位置に戻る場合、左右それぞれの前記ガイド部材の傾斜面部のいずれか一方が、対応する前記側壁の溝終端部と摺動することにより、前記操作ボタンの左右位置は、左右それぞれの前記側壁間の略中央に規制されることにより、操作ボタンが押下された状態から解放され、初期位置に戻る場合の左右位置は正規の位置に規制される。
【００２８】
具体的には、操作ボタンが前方に移動する際に、操作ボタンの左右の端辺が直接に側壁に接触しないように、側壁の溝終端部とガイド部材の傾斜面部とが摺動しながら操作ボタンが初期位置に戻ってくる。これにより、操作ボタンが初期位置に戻る際に側壁に引っ掛かることが防止される。
【００２９】
請求項３に記載の発明は、請求項１または２に記載の発明において、前記扉は、前記冷蔵庫の高さ方向に平行な直線を回動軸として回動する扉であり、前記冷蔵庫はさらに、前記扉の前記回動軸とは反対側の端辺に沿って配置される扉化粧板を備え、前記縦長開口は、前記化粧板に設けられていることにより、冷蔵庫本体とは別体の扉化粧板に４つの操作ボタンを配置することができ、冷蔵庫の組み立て、および、操作ボタン周りの修理等が容易となる。また、扉の回動軸とは反対側の端辺に４つの操作ボタンが縦に並べられるため、使用者にとって操作し易く、かつ、冷蔵庫全体の意匠を損なうことない。
【００３０】
請求項４に記載の発明は、請求項１から３のいずれか一項に記載の発明において、前記操作ボタンは、前記操作ボタンの前面を形成する前面部材と、前記前面部材を着脱可能に保持する保持体とを有することにより、例えば、前面部材が汚損した場合、前面部材の表面の印字が薄くなった場合、および、前面部材の色を変更したい場合などに、容易に前面部材を交換することが可能となる。
【００３１】
このように本発明は、冷蔵庫の動作を設定するための複数の操作ボタンを備える冷蔵庫であって、コンパクトな配置構成であり、かつ、使用者にとって利便性の高い複数の操作ボタンを備える冷蔵庫を提供することができる。
【００３２】
以下、本発明の冷蔵庫の実施の形態について、図面を参照しながら説明するが、従来例または先に説明した実施の形態と同一構成については同一符号を付して、その詳細な説明は省略する。なお、この実施の形態によってこの発明が限定されるものではない。
【００３３】
（実施の形態１）
図１は、本発明の実施の形態１における冷蔵庫の正面図である。
【００３４】
図１に示すように、冷蔵庫５１は、観音開き式の扉を備える冷蔵庫であり、断熱箱体５２内に複数に区画された貯蔵室を備えている。
【００３５】
具体的には貯蔵室として、上部より冷蔵室５３、製氷室５４、製氷室５４に併設され室内の温度が変更可能な切換室５５、野菜室５６、および冷凍室５７を備えている。
【００３６】
各貯蔵室の開口部には、例えばウレタンのような発泡断熱材を発泡充填した断熱扉が設けられている。具体的には、冷蔵室５３には断熱箱体５２の開口部を開閉可能に塞ぐ左扉６０ａおよび右扉６０ｂが設けられている。
【００３７】
また、製氷室５４、切換室５５、野菜室５６、および冷凍室５７にはそれぞれ引き出し式の扉６１、扉６２、扉６３、および扉６４が設けられている。
【００３８】
これら貯蔵室のうち、冷蔵室５３以外の貯蔵室は引き出し式の貯蔵室である。
【００３９】
また、図１に示すように、断熱箱体５２は、ＡＢＳなどの樹脂体を真空成型した内箱７０とプリコート鋼板などの金属材料を用いた外箱７１とで構成された空間に発泡断熱材７２が充填された断熱壁で構成されている。
【００４０】
野菜室５６と冷凍室５７の後側には、冷却器（図示せず）およびファン（図示せず）が設けられており、冷蔵庫５１の本体下部に設置された圧縮機（図示せず）により冷却器が駆動され、冷却器から冷却された空気（冷気）が各貯蔵室に送られる。また、それぞれの貯蔵室ごとに所定の温度に冷却制御される。
【００４１】
また、右扉６０ｂには、右扉６０ｂの回動軸とは反対側の端辺に沿って扉化粧板８０が取り付けられている。
【００４２】
この扉化粧板８０には裏側から操作ユニット１０が取り付けられており、その取り付け位置は、一般的な使用者の目の高さ程度の高さ位置である。
【００４３】
操作ユニット１０は、使用者が冷蔵庫５１の動作を設定するための電装部品を含むユニットであり、４つの矩形の操作ボタン１１が縦方向に連なって配置されている。
【００４４】
４つの操作ボタン１１は、それぞれ異なる目的と対応付けられたボタンである。例えば、４つの操作ボタン１１のそれぞれは、上から順に、冷凍室５７の温度設定、冷蔵室５３の温度設定、製氷室５４の温度設定、冷凍室５７の急速冷凍の開始、と対応付けられている。
【００４５】
４つのボタンとすることにより、貯蔵室の部屋毎に細かく温度調節できる。
【００４６】
また、操作ユニット１０は、４つの操作ボタン１１のうちの最上部の操作ボタン１１に隣接して配置される表示部３０を有している。
【００４７】
表示部３０は、冷蔵庫５１の動作に関する情報を表示する装置である。具体的には、表示部３０は、冷蔵庫５１の動作に関する情報である設定温度等の情報を使用者に知らせることができる。
【００４８】
例えば、使用者により冷蔵室５３の温度設定の操作ボタン１１が押下されると、冷蔵室５３の庫内温度のレベルが“強”、“中”、“弱”のいずれかに設定される。また、その
設定されたレベルが使用者に分かるように表示部３０に表示される。
【００４９】
図２は、本発明の実施の形態１における操作ユニットの構成概要を示す分解斜視図である。
【００５０】
図２に示すように、操作ユニット１０は、４つの操作ボタン１１と、表示部３０とが基体１５に取り付けられた構成である。
【００５１】
表示部３０は、複数のＬＥＤ３２と、ＬＥＤカバー３１とで構成されている。ＬＥＤカバー３１は光透過性を有し、点灯するＬＥＤ３２の個数および色等により、使用者に設定温度等を知らせることができる。
【００５２】
また、操作ユニット１０が取り付けられる扉化粧板８０には、縦長の開口である縦長開口８０ａが設けられている。つまり、縦長開口８０ａは右扉６０ｂの前面に穿設された縦長の開口である。
【００５３】
この縦長開口８０ａに４つの操作ボタン１１とＬＥＤカバー３１とが縦方向に連なって配置されるように、操作ユニット１０が扉化粧板８０に取り付けられる。
【００５４】
なお、具体的には、操作ボタン１１と隣の操作ボタン１１との間は０．５ｍｍ程度の隙間が存在する。また、ＬＥＤカバー３１と隣の操作ボタン１１との間も同程度の隙間が存在する。
【００５５】
４つの操作ボタン１１はいずれも、前面部材１２と、両面テープ１３と、保持体１４とで構成されている。なお、以下に記載する、１つの操作ボタン１１についての説明は、特に断りのない限り、４つの操作ボタン１１の全てに適用される。
【００５６】
前面部材１２は、操作ボタン１１の前面を形成する化粧部品であり、例えば、当該操作ボタン１１の機能を示す単語（例えば「冷凍室」）等が印刷された部品である。
【００５７】
両面テープ１３は、保持体１４と前面部材１２とを着脱可能に接合する粘着テープである。つまり、前面部材１２は、保持体１４により着脱可能に保持されている。
【００５８】
このような構成の操作ボタン１１は、基体１５に配置された付勢体２０により前方に付勢されている。これにより、操作ボタン１１は、押下された状態から解放されると、前方に移動し初期位置まで戻る。
【００５９】
なお、操作ユニット１０および操作ユニット１０を構成する操作ボタン１１等の部材について、「後」という場合、操作ボタン１１から基体１５に向かう方向を意味する。つまり、使用者による操作ボタン１１の押し下げ方向であり、「前」という場合その逆方向である。
【００６０】
図３は、本発明の実施の形態１における操作ユニットの断面構成の概要を示す拡大図である。
【００６１】
図３に示すように、操作ボタン１１の後側には、上記の付勢体２０を含むボタン支持部１６が配置されている。
【００６２】
使用者により操作ボタン１１が押下されると、操作ボタン１１は付勢体２０による付勢力に抗して後方向に移動し、付勢体２０の後側にある電子回路基板１９上のスイッチ１７
の接点を押し下げる。これにより、当該操作ボタン１１に対応付けられた所定の動作設定機能が発揮される。
【００６３】
また、この状態から使用者が操作ボタン１１から指を離すと、つまり、当該操作ボタン１１が押下から解放されると、付勢体２０の付勢力により初期位置に戻る。
【００６４】
また、ボタン支持部１６と、電子回路基板１９との間には防水シート１８が配置されており、水分が操作ユニット１０の前面側から電子回路基板１９に侵入することが防がれている。
【００６５】
以上のように、実施の形態の冷蔵庫５１は、４つの矩形の操作ボタン１１を備えている。具体的には４つの矩形の操作ボタン１１は、冷蔵庫５１の動作を設定するための操作ユニット１０の一部として、扉化粧板８０の縦長開口８０ａに縦方向に連なって配置されている。
【００６６】
このように、４つの矩形の操作ボタン１１を連ねて配置することにより、操作ユニット１０の全体をコンパクトにしつつ、各操作ボタン１１の正面の面積を比較的大きくできる。
【００６７】
つまり、４つの矩形の操作ボタン１１がコンパクトな配置構成であることにより、操作ユニット１０のコンパクト化が可能である。このことは例えば結露による湿気からの操作ユニット１０の保護の観点から有利である。
【００６８】
また、各操作ボタン１１の面積が比較的大きいものであることにより、使用者からするとそれぞれの操作ボタン１１は押し易いボタンである。
【００６９】
また、それぞれの前面部材１２に機能を示す文字または記号等を記載する場合でも、比較的大きなサイズの文字または記号等を記載することが可能であり、この意味からも利便性は高い。
【００７０】
また隣り合う操作ボタン１１の間の隙間は非常に狭く、ごみおよび水滴等が、操作ボタン１１の間から侵入し難い構成である。
【００７１】
また、表示部３０は、最上部の操作ボタン１１に隣接して配置されているため、使用者がいずれかの操作ボタン１１を押下する際に、同一の視野で表示部３０の表示内容を確認することができる。つまり、この意味からも利便性は高いと言える。
【００７２】
さらに、操作ボタン１１の前面を形成する前面部材１２は、両面テープ１３で保持体１４に着脱可能に取り付けられているため、前面部材１２の交換が容易である。
【００７３】
前面部材１２は、使用者が繰り返し触れる部材であり、表面が汚損すること、および、表面の印字が磨耗により消える場合が考えられる。また、デザイン上の理由により、前面部材１２の色の変更が望まれる場合も考えられる。
【００７４】
このような場合、使用者は容易に前面部材１２の交換を行うことができる。
【００７５】
ここで、本実施の形態における操作ユニット１０のように、複数の矩形の操作ボタン１１を連ねて配置する場合、隣り合う操作ボタン１１の間が狭くなる。
【００７６】
また、操作ユニット１０のコンパクト化のために、操作ボタン１１の左右の辺と基体１
５に形成された側壁との間の距離も、操作ボタン１１の前後方向の移動に支障のない限り短くすることが望まれる。
【００７７】
このように、操作ボタン１１は上下左右に他の部材が近接することになり、かつ矩形である。そのため、操作ボタン１１を押下した際および、押下から解放され初期位置に戻る際に、操作ボタン１１の上下左右の端辺が隣接する部材と直線で接触する可能性が高い。つまり、操作ボタン１１が隣接する部材に引っ掛かる可能性が高いと考えられる。
【００７８】
従って、操作ボタン１１が前後方向に移動する際に周囲の部材に引っ掛からないように何らかの対策を施す必要がある。
【００７９】
ここで、使用者による操作ボタン１１の押下およびその解放の際に、操作ボタン１１が傾くことなく、基体１５に対する平行性を保ちながら前後方向に移動するのであれば、そのような引っ掛かりの問題は発生しない。
【００８０】
しかしながら、操作ボタン１１の前後方向の移動は当然に円滑であることが必要であり、また、操作ユニット１０の製造コストまたは組み立て容易性等の観点からも、操作ユニット１０はシンプルな構成であることが必要である。
【００８１】
従って、例えば、操作ボタン１１の前後方向の移動の最初から最後まで完全な平行を保ったまま移動させるガイドを設けることは、移動の円滑さおよび製造コスト等に鑑みれば現実に即した対策とは言えない。
【００８２】
そこで、本実施の形態における操作ユニット１０では、シンプルな構成であり、かつ、矩形の操作ボタン１１の前後方向の移動の円滑性が担保される構成を採用している。
【００８３】
以下、図４から図９を用いて、操作ユニット１０の特に操作ボタン１１周りの構成について説明する。
【００８４】
図４は、本発明の実施の形態１における保持体の正面概要図である。
【００８５】
図４に示すように、保持体１４は、一対の第一係合部材１４ａを備えている。また、左右端のそれぞれから突出状に設けられたガイド部材１４ｃを備えている。
【００８６】
なお、保持体１４の前側の面（図４において手前側の面）に前面部材１２が取り付けられた場合、これら第一係合部材１４ａは前面部材１２に覆われる位置にある。
【００８７】
このように、保持体１４に配置された一対の第一係合部材１４ａが、基体１５に配置された一対の第二係合部材１５ａと係合することで、操作ボタン１１の押下時の左右位置は規制される。つまり、正規の左右位置で停止する。
【００８８】
図５は、本発明の実施の形態１における第一係合部材および第二係合部材の形状および位置関係を示す断面概要図である。
【００８９】
なお、図５では、操作ボタン１１は押下されていない状態であり、初期位置にある状態を示している。具体的には操作ボタン１１は、付勢体２０の中央部に配置された凸部２１に支持されることにより初期位置に位置している。
【００９０】
図５に示すように、一対の第二係合部材１５ａは保持体１４の上端面と接している。つまり、これら第二係合部材１５ａは、操作ボタン１１の上方向（図５において手前の方向
）の位置を規制する部材である。
【００９１】
つまり、各操作ボタン１１に対応して配置される第二係合部材１５ａにより、それぞれの操作ボタン１１は、自身の上側にある操作ボタン１１等の部材と接触することが防止される。
【００９２】
本実施の形態においては、これら第二係合部材１５ａはさらに、操作ボタン１１の押下時における左右方向の位置を規制するための機能を有している。
【００９３】
具体的には、図５に示すように、一対の第一係合部材１４ａのそれぞれは、内側に第一係合面１４ｂを有している。また、一対の第二係合部材１５ａのそれぞれは、外側に第一係合部材１４ａの傾斜面に対応する角度の第二係合面１５ｂを有している。
【００９４】
また、２つの第一係合面１４ｂの間の距離は後方に向かって広がっており、かつ、２つの第二係合面１５ｂの間の距離は前方に向かって狭まっている。
【００９５】
図５では、操作ボタン１１は初期位置にあり、第一係合面１４ｂと第二係合面１５ｂとは離れた状態にある。つまり、操作ボタン１１は初期位置に位置している状態である。
【００９６】
この状態から操作ボタン１１が使用者により押下されると、一対の第一係合部材１４ａと、一対の第二係合部材１５ａとが係合することにより、操作ボタン１１は、左右方向の位置が規制される。
【００９７】
図６（Ａ）は、本発明の実施の形態１における第一係合部材と第二係合部材との係合状態を示す断面概要図であり、図６（Ｂ）は、本発明の実施の形態１における第一係合部材と第二係合部材との係合状態を示す拡大斜視図である。
【００９８】
図６（Ａ）および図６（Ｂ）に示すように、操作ボタン１１が押下され後方に移動すると、最終的に２つの第一係合面１４ｂと２つの第二係合面１５ｂとが接する。つまり、一対の第一係合部材１４ａと、一対の第二係合部材１５ａとが係合する。これにより、操作ボタン１１の左右方向の位置は正規の位置に規制される。
【００９９】
具体的には、操作ボタン１１の左右方向の位置は、操作ボタン１１の左右の側壁１５ｃの略中央（完全中央も含む、以下同じ）に規制される。つまり、操作ボタン１１の左右方向の中心線と、左右の側壁１５ｃ間の中心線とが一致、またはほぼ一致するように操作ボタン１１の左右方向の位置が規制される。
【０１００】
その後、操作ボタン１１が押下から解放されると、付勢体２０による付勢力により初期位置まで戻る。
【０１０１】
ここで、図６（Ａ）に示すように、戻り始めの左右位置が、左右の側壁１５ｃ間の略中央である場合、初期位置で停止するまでの間、そのままの左右位置で前方に移動する可能性が高い。つまり、操作ボタン１１は、左側または右側の側壁１５ｃに引っ掛かり難いと言える。
【０１０２】
このように、本実施の形態の操作ボタン１１は、上方向の位置規制を行う一対の第二係合部材１５ａが、操作ボタン１１に設けられた一対の第一係合部材１４ａと係合する。これにより押下時の左右方向の位置が規制される。
【０１０３】
また、これら第一係合部材１４ａおよび第二係合部材１５ａのそれぞれは、互いに対応
する角度の傾斜面を有するだけであり、シンプルな構造である。かつ、操作ボタン１１の前後方向の円滑な移動を妨げることはない。
【０１０４】
また、操作ボタン１１は上述のように、左右にガイド部材１４ｃを有しており、ガイド部材１４ｃによっても、操作ボタン１１の引っ掛かりは防止される。
【０１０５】
図７（Ａ）は、本発明の実施の形態１におけるガイド部材と側壁との位置関係を示す正面透視図であり、図７（Ｂ）は、本発明の実施の形態１におけるガイド溝の概要を示す側面図である。
【０１０６】
また、図７（Ｃ）は、本発明の実施の形態１における操作ボタンが初期位置に戻った状態を示す断面概要図である。
【０１０７】
図７（Ａ）〜図７（Ｃ）に示すように、ガイド部材１４ｃは、側壁１５ｃに設けられたガイド溝１５ｄに前後方向に移動可能に保持されている。また、ガイド溝１５ｄは、操作ボタン１１の上下方向の位置を規制している。
【０１０８】
また、ガイド部材１４ｃは前後方向に延伸しており、左右方向を軸とする回動がガイド溝１５ｄにより規制される。
【０１０９】
このようなガイド部材１４ｃは、図４に示すように、保持体１４の左端および右端の上下に１つずつ配置されており、これら合計４つのガイド部材１４ｃにより、操作ボタン１１の左右方向を軸とする回動が制限される。
【０１１０】
これにより、操作ボタン１１の前後方向の移動の際に、当該操作ボタン１１が傾いて上および下の操作ボタン１１等の他の部材に引っ掛かることが防止される。
【０１１１】
また、保持体１４に設けられたガイド部材１４ｃは、図７（Ｃ）に示すように、操作ボタン１１から遠いほど後方に後退している傾斜面部１４ｄを有している。
【０１１２】
また、側壁１５ｃは、ガイド溝１５ｄの前方向の終端となる部分である溝終端部１５ｅを有している。つまり、ガイド溝１５ｄは、側壁１５ｃの前端面には開口していない。
【０１１３】
つまり、側壁１５ｃは、溝終端部１５ｅを有することにより、ガイド部材１４ｃの前方向の位置を規制する。
【０１１４】
また、操作ボタン１１が押下された状態から解放され、前方に移動する場合、当該操作ボタン１１が有する４つのガイド部材１４ｃのそれぞれが、対応する溝終端部１５ｅに当接することで、当該操作ボタン１１は前後方向の初期位置に停止する。
【０１１５】
このような構成のガイド部材１４ｃと側壁１５ｃとにより、操作ボタン１１が初期位置に戻る際に、操作ボタン１１の左右方向の位置も規制される。
【０１１６】
具体的には、図６（Ａ）に示すように、操作ボタン１１が使用者により押下され、その後、押下から解放された場合を想定する。
【０１１７】
この場合、付勢体２０により、操作ボタン１１は初期位置まで押し戻される。この戻り初めから操作ボタン１１が初期位置に戻るまでの間に、操作ボタン１１の左右位置がずれていた場合であっても、左右それぞれのガイド部材１４ｃの傾斜面部１４ｄの少なくともいずれか一方が、対応する溝終端部１５ｅと摺動する。
【０１１８】
従って、操作ボタン１１の左右の端辺が直接に側壁１５ｃに接触することなく操作ボタン１１は前方に移動し、最終的には図７（Ｃ）に示すように操作ボタン１１の左右位置は、左右それぞれの側壁１５ｃ間の略中央に規制される。
【０１１９】
これにより、操作ボタン１１が初期位置に戻る際に側壁１５ｃに引っ掛かることが防止される。
【０１２０】
このように、本実施の形態の操作ボタン１１は、初期位置に戻る際に、左右のガイド部材１４ｃの少なくともいずれか一方が、対応する側壁１５ｃの溝終端部１５ｅと摺動する。これにより、操作ボタン１１が初期位置に戻った場合の左右方向の位置が規制される。
【０１２１】
また、ガイド部材１４ｃおよびガイド溝１５ｄの形状はシンプルであり、かつ、操作ボタン１１の前後方向の移動を妨げることはない。
【０１２２】
なお、本実施の形態におけるガイド部材１４ｃおよび側壁１５ｃは、操作ボタン１１が傾くように押下された場合であっても、当該操作ボタン１１の後方に配置されたスイッチ１７をオンにできるように設けられている。
【０１２３】
図８は、本発明の実施の形態１における操作ボタンが傾くように押下された場合の一例を示す断面概要図である。
【０１２４】
図８に示すように、例えば、操作ボタン１１の図８において右側が使用者により押下された場合を想定する。
【０１２５】
その場合、保持体１４の底面が完全には下がりきらないため、付勢体２０の凸部２１を十分に押下できず、付勢体２０の後側に配置されたスイッチ１７をオンにできない場合も考えられる。
【０１２６】
しかし、本実施の形態の操作ボタン１１は、図８において左側のガイド部材１４ｃの上端が側壁１５ｃの溝終端部１５ｅに当接することで、保持体１４の底面を、凸部２１を十分に押下できる程度に後方に移動させることができる。
【０１２７】
つまり、図８の下向きの矢印が指す操作ボタン１１上の点を力点とすると、左側のガイド部材１４ｃの上端が支点となり、保持体１４の底面の凸部２１と接触する部分が作用点となる。操作ボタン１１がこのような動きをすることにより、凸部２１は少なくともスイッチ１７をオンに出来る程度には押し下げられる。
【０１２８】
左右の側壁１５ｃの操作ボタン１１との距離等の各種の寸法は、操作ボタン１１の上記の動きが可能なように決定されている。
【０１２９】
また、操作ボタン１１の後方に配置された付勢体２０は、ボタン支持部１６に一体に設けられている。つまり、付勢体２０は、バネ等の弾性体をボタン支持部１６に別途取り付けたものではなく、例えばボタン支持部１６の形成時に同時に形成可能な構成部である。
【０１３０】
図９は、本発明の実施の形態１における付勢体の構成を示す正面概要図である。
【０１３１】
図９に示すように、付勢体２０は、凸部２１が操作ボタン１１背面のほぼ中央に位置するように配置されている。
【０１３２】
また、付勢体２０の周囲を囲むように、操作ボタン１１のガイド部材１４ｃの下端が挿入されるガイド孔１５ｆが配置されている。また、付勢体２０の上側には一対の第二係合部材１５ａが配置されている。
【０１３３】
このような位置に配置された付勢体２０は、ボタン支持部１６と一体に形成されている２つの弾性板２０ａで凸部２１の左右が支持される構造になっている。
【０１３４】
このように、付勢体２０は、構造がシンプルであり、ボタン支持部１６と一体に形成可能である。また、ボタン支持部１６が、基体１５と一体に形成可能であれば、付勢体２０は基体１５と一体に形成可能である。
【０１３５】
また、付勢体２０は、このような構成であっても操作ボタン１１に対する十分な付勢力を与えることができる。
【０１３６】
以上説明したように、本発明の冷蔵庫５１は、冷蔵庫５１の動作を設定するための４つの矩形の操作ボタン１１を備えている。
【０１３７】
これら操作ボタン１１は縦方向に連なって、右扉６０ｂに穿設される縦長開口８０ａに配置される。
【０１３８】
これにより、各操作ボタン１１の前面の面積は比較的大きく、かつ、コンパクトな配置構成となる。さらに、これら操作ボタン１１を含む操作ユニット１０のコンパクト化が可能である。
【０１３９】
さらに、操作ボタン１１群と縦並びに、操作ボタン１１群に隣接して表示部３０が備えられている。これにより、使用者は、いずれの操作ボタン１１を押下する場合であっても、同一の視野で表示部３０の表示内容を確認することができる。
【０１４０】
また、一般に移動時に引っ掛かり易い形状である矩形の操作ボタン１１の前後方向の移動の円滑性は、操作ボタン１１に配置された第一係合部材１４ａ等のシンプルな形状の構成部で担保される。
【０１４１】
なお、本実施の形態では、冷蔵庫５１は観音開き式の扉を備える冷蔵庫であり、右扉６０ｂに取り付けられる扉化粧板８０に４つの操作ボタン１１が配置されるとした。
【０１４２】
しかしながら、使用者の利便性が維持されるのであれば、操作ボタン１１は扉化粧板８０以外に取り付けられてもよい。例えば、左扉６０ａの回動軸とは反対側の端辺に沿って４つの操作ボタン１１を配置してもよい。
【０１４３】
また、４つの操作ボタン１１は、いわゆる片開き式の冷蔵庫の前面に取り付けられてもよい。
【０１４４】
また、操作ボタン１１が４つ必要なく、３以下の操作ボタン１１で冷蔵庫の動作設定が賄えるのであれば、操作ボタン１１の数は３以下であってもよい。また、操作ボタン１１が５以上必要であれば、操作ボタン１１の数が５以上であってもよい。すなわち、少なくとも２つ以上の操作ボタンであればよい。
【０１４５】
いずれの場合であっても、本実施の形態の操作ボタン１１の前後方向の移動の円滑性等の効果が損なわれることはない。
【０１４６】
また、表示部３０は４つの操作ボタン１１のうちの最下部の操作ボタンに隣接して配置されてもよい。
【０１４７】
つまり、使用者が同一の視野で４つの操作ボタン１１と表示部３０の表示内容とを捉えることができるのであれば、４つの操作ボタン１１と表示部３０との位置関係は本実施の形態とは逆であってもよい。
【産業上の利用可能性】
【０１４８】
以上のように、本発明にかかる冷蔵庫は、冷蔵庫の動作を設定するための複数の操作ボタンを備える冷蔵庫であって、コンパクトな配置構成であり、かつ、使用者にとって利便性の高い複数の操作ボタンを備える冷蔵庫を提供することができることとなり、家庭用および業務用など様々な種類および大きさの冷蔵庫等に適用できる。
【符号の説明】
【０１４９】
１０  操作ユニット
１１  操作ボタン
１２  前面部材
１３  両面テープ
１４  保持体
１４ａ  第一係合部材
１４ｂ  第一係合面
１４ｃ  ガイド部材
１４ｄ  傾斜面部
１５  基体
１５ａ  第二係合部材
１５ｂ  第二係合面
１５ｃ  側壁
１５ｄ  ガイド溝
１５ｅ  溝終端部
１５ｆ  ガイド孔
１６  ボタン支持部
１７  スイッチ
１８  防水シート
１９  電子回路基板
２０  付勢体（付勢手段）
２０ａ  弾性板
２１  凸部
３０  表示部
３１  ＬＥＤカバー
３２  ＬＥＤ
５１  冷蔵庫
５２  断熱箱体
５３  冷蔵室（貯蔵室）
５４  製氷室
５５  切換室
５６  野菜室
５７  冷凍室
６０ａ  左扉
６０ｂ  右扉
６１、６２、６３、６４  扉
７０  内箱
７１  外箱
７２  発泡断熱材
８０  扉化粧板
８０ａ  縦長開口
【図１】
2010014400.tif 000003
【図２】
2010014400.tif 000004
【図３】
2010014400.tif 000005
【図４】
2010014400.tif 000006
【図５】
2010014400.tif 000007
【図６】
2010014400.tif 000008
【図７】
2010014400.tif 000009
【図８】
2010014400.tif 000010
【図９】
2010014400.tif 000011
【図１０】
2010014400.tif 000012